【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
ポリメチルメタクリレートを主成分とする多孔体において、プロトン核磁気共鳴測定で得られるスペクトルから求められるメタクリル酸、メタクリル酸と炭素数２〜１６の炭化水素基からなるメタクリル酸エステル、アクリル酸、アクリル酸と炭素数１〜１６の炭化水素基からなるアクリル酸エステル、α−メチルスチレン、スチレン、無水マレイン酸、マレイミド、Ｎ置換マレイミドから選ばれる１種類以上の単量体が与える繰り返し単位量を（Ａ）、メチルメタクリレートが与える繰り返し単位量を（Ｂ）とするとき、（Ａ）／（（Ａ）＋（Ｂ））×１００が０．００００１以上であることを特徴とする多孔体。
【請求項２】
前記繰り返し単位がポリメチルメタクリレートとの共重合体として含まれることを特徴とする請求項１に記載の多孔体。
【請求項３】
少なくとも一つの表面の開孔率が、１０％以上８０％以下である請求項１または２に記載の多孔体。
【請求項４】
多孔体の断面が厚さ方向に対して対称構造であることを特徴とする請求項１から３のいずれかに記載の多孔体。
【請求項５】
多孔体が連続孔を有し、多孔体の孔径が０．００１μｍ以上５０μｍ以下であることを特徴とする請求項１から４のいずれかに記載の多孔体。
【請求項６】
前記多孔体の孔径の１０倍以上１００倍以下の長さを一辺とする正方形の視野で撮影された顕微鏡画像をフーリエ変換して得られる、横軸が波数、縦軸が強度からなるグラフの曲線において、ピーク半値幅（ａ）、該ピークの極大波数（ｂ）とするとき０＜（ａ）／（ｂ）≦１．２であることを特徴とする請求項１から５のいずれかに記載の多孔体。
【請求項７】
前記多孔体の厚さが１μｍ以上５ｍｍ以下であることを特徴とする請求項１から６のいずれかに記載の多孔体。
【請求項８】
多孔体の形状が中空糸状であることを特徴とする請求項１から７のいずれかに記載の多孔体。
【請求項９】
請求項１から８のいずれかに記載の多孔体からなる分離膜。
【請求項１０】
分離対象物質が生体成分であることを特徴とする請求項９に記載の分離膜。
【請求項１１】
生体成分が血液またはその一部であることを特徴とする請求項１０に記載の分離膜。
【請求項１２】
ポリメチルメタクリレート、脂肪族ポリエステルならびに、メタクリル酸、メタクリル酸と炭素数２〜１６の炭化水素基からなるメタクリル酸エステル、アクリル酸、アクリル酸と炭素数１〜１６の炭化水素基からなるアクリル酸エステル、α−メチルスチレン、スチレン、無水マレイン酸、マレイミド、Ｎ置換マレイミドから選ばれる１種類以上の単量体が与える繰り返し単位を含むポリマーから得られるポリマーアロイ成形品から脂肪族ポリエステルを除去することを特徴とする請求項１から８のいずれかに記載の多孔体の製造方法。
【請求項１３】
メタクリル酸メチルが与える繰り返し単位およびメタクリル酸、メタクリル酸と炭素数２〜１６の炭化水素基からなるメタクリル酸エステル、アクリル酸、アクリル酸と炭素数１〜１６の炭化水素基からなるアクリル酸エステル、α−メチルスチレン、スチレン、無水マレイン酸、マレイミド、Ｎ置換マレイミドから選ばれる１種類以上の単量体が与える繰り返し単位を含む共重合体ならびに脂肪族ポリエステルからなるポリマーアロイ成形品から脂肪族ポリエステルを除去することを特徴とする請求項１から８のいずれかに記載の多孔体の製造方法。
【請求項１４】
前記単量体が与える繰り返し単位がポリメチルメタクリレートとの共重合体として含まれることを特徴とする請求項１２に記載の多孔体の製造方法。
【請求項１５】
脂肪族ポリエステルがポリ乳酸であることを特徴とする請求項１２から１４のいずれかに記載の多孔体の製造方法。
【請求項１６】
脂肪族ポリエステルの除去を脂肪族ポリエステルの加水分解により行うことを特徴とする
請求項１２から１５のいずれかに記載の多孔体の製造方法
【請求項１７】
ポリマーアロイが溶融混練により得られることを特徴とする請求項１２から１６のいずれかに記載の多孔体の製造方法。
【請求項１８】
ポリマーアロイがスピノーダル分解による相分離で得られることを特徴とする請求項１２から１７のいずれかに記載の多孔体の製造方法。
【手続補正２】
【補正対象書類名】明細書
【補正対象項目名】００１３
【補正方法】変更
【補正の内容】
【００１３】
本発明は、上記課題を解決するため、以下の構成を有するものである。
１．ポリメチルメタクリレートを主成分とする多孔体において、プロトン核磁気共鳴測定で得られるスペクトルから求められるメタクリル酸、メタクリル酸と炭素数２〜１６の炭化水素基からなるメタクリル酸エステル、アクリル酸、アクリル酸と炭素数１〜１６の炭化水素基からなるアクリル酸エステル、α−メチルスチレン、スチレン、無水マレイン酸、マレイミド、Ｎ置換マレイミドから選ばれる１種類以上の単量体が与える繰り返し単位量を（Ａ）、メチルメタクリレートが与える繰り返し単位量を（Ｂ）とするとき、（Ａ）／（（Ａ）＋（Ｂ））×１００が０．００００１以上であることを特徴とする多孔体。
２．前記繰り返し単位がポリメチルメタクリレートとの共重合体として含まれることを特徴とする１に記載の多孔体。
３．少なくとも一つの表面の開孔率が、１０％以上８０％以下である１または２に記載の多孔体。
４．多孔体の断面が厚さ方向に対して対称構造であることを特徴とする１から３のいずれかに記載の多孔体。
５．多孔体が連続孔を有し、多孔体の孔径が０．００１μｍ以上５０μｍ以下であることを特徴とする１から４のいずれかに記載の多孔体。
６．前記多孔体の孔径の１０倍以上１００倍以下の長さを一辺とする正方形の視野で撮影された顕微鏡画像をフーリエ変換して得られる、横軸が波数、縦軸が強度からなるグラフの曲線において、ピーク半値幅（ａ）、該ピークの極大波数（ｂ）とするとき０＜（ａ）／（ｂ）≦１．２であることを特徴とする１から５のいずれかに記載の多孔体。
７．前記多孔体の厚さが１μｍ以上５ｍｍ以下であることを特徴とする１から６のいずれかに記載の多孔体。
８．多孔体の形状が中空糸状であることを特徴とする１から７のいずれかに記載の多孔体。
９．１から８のいずれかに記載の多孔体からなる分離膜。
１０．分離対象物質が生体成分であることを特徴とする９に記載の分離膜。
１１．生体成分が血液またはその一部であることを特徴とする１０に記載の分離膜。
１２．ポリメチルメタクリレート、脂肪族ポリエステルならびに、メタクリル酸、メタクリル酸と炭素数２〜１６の炭化水素基からなるメタクリル酸エステル、アクリル酸、アクリル酸と炭素数１〜１６の炭化水素基からなるアクリル酸エステル、α−メチルスチレン、スチレン、無水マレイン酸、マレイミド、Ｎ置換マレイミドから選ばれる１種類以上の単量体が与える繰り返し単位を含むポリマーから得られるポリマーアロイ成形品から脂肪族ポリエステルを除去することを特徴とする１から８のいずれかに記載の多孔体の製造方法。
１３．メタクリル酸メチルが与える繰り返し単位およびメタクリル酸、メタクリル酸と炭素数２〜１６の炭化水素基からなるメタクリル酸エステル、アクリル酸、アクリル酸と炭素数１〜１６の炭化水素基からなるアクリル酸エステル、α−メチルスチレン、スチレン、無水マレイン酸、マレイミド、Ｎ置換マレイミドから選ばれる１種類以上の単量体が与える繰り返し単位を含む共重合体ならびに脂肪族ポリエステルからなるポリマーアロイ成形品から脂肪族ポリエステルを除去することを特徴とする１から８のいずれかに記載の多孔体の製造方法。
１４．前記単量体が与える繰り返し単位がポリメチルメタクリレートとの共重合体として含まれることを特徴とする１２に記載の多孔体の製造方法。
１５．脂肪族ポリエステルがポリ乳酸であることを特徴とする１２から１４のいずれかに記載の多孔体の製造方法。
１６．脂肪族ポリエステルの除去を脂肪族ポリエステルの加水分解により行うことを特徴とする１２から１５のいずれかに記載の多孔体の製造方法
１７．ポリマーアロイが溶融混練により得られることを特徴とする１２から１６のいずれかに記載の多孔体の製造方法。
１８．ポリマーアロイがスピノーダル分解による相分離で得られることを特徴とする１２から１７のいずれかに記載の多孔体の製造方法。